(57)【要約】【課題】衝撃吸収分散性能が向上したスポーツ用保護具を提供する。【解決手段】衝撃吸収部２０を備えたスポーツ用保護具（シンガード１）において、衝撃吸収部２０を複数の空気袋２１，２２，２３から構成すると共に、空気袋２１，２２，２３間を連通する連通部２４，２６，２７，２８を備えた。複数の空気袋２１，２２，２３から構成された衝撃吸収部２０が裏面に設けられる硬質板部１０を備えた。あるいは、複数の空気袋から構成された衝撃吸収部が装着される装着部をサポーターに備えた。【選択図】図２
2012130663.tif 000002
【特許請求の範囲】
【請求項１】
衝撃吸収部を備えたスポーツ用保護具において、
前記衝撃吸収部を複数の空気袋から構成すると共に、空気袋間を連通する連通部を備えたことを特徴とするスポーツ用保護具。
【請求項２】
前記複数の空気袋から構成された衝撃吸収部が裏面に設けられる硬質板部を備えたことを特徴とする請求項１記載のスポーツ用保護具。
【請求項３】
前記複数の空気袋から構成された衝撃吸収部が装着される装着部をサポーターに備えたことを特徴とする請求項１記載のスポーツ用保護具。
【請求項４】
前記連通部を介して連通する任意の空気袋に、水は通さずに空気を通して内圧を大気圧に調整する通気膜を備えたことを特徴とする請求項１乃至請求項３のいずれかに記載のスポーツ用保護具。
【発明の詳細な説明】
【技術分野】
【０００１】
本願発明は、サッカーやバレーボールなどのスポーツをする時に、人体の要所に装着されるスポーツ用保護具に関するものである。
【背景技術】
【０００２】
従来から、この種のスポーツ用保護具として、例えば、サッカーの競技者が脛に装着するシンガード（脛当て）と呼ばれるものが知られている（例えば、特許文献１参照）。このシンガードは、硬質樹脂を成形して成る硬質板部と、硬質板部の裏面側に設けられた発泡樹脂製や非発砲弾性体の衝撃吸収部とを備えている。硬質板部を設けていることで、スパイクシューズ等で蹴られたときのガードが確実になり、また、その硬質板部の裏面側に衝撃吸収部を設けていることで、蹴られたときの衝撃が緩和される。
【０００３】
また、スポーツ用保護具としては、例えば、バレーボールの競技者が膝に装着するニーガードと呼ばれる膝用サポーターや、肘に装着するエルボーガードと呼ばれる肘用サポーターが知られている（例えば、特許文献１参照）。これらのサポーターは、膝や肘を覆う筒状をなす伸縮自在の布製本体部と、本体部に取り付けられた発泡樹脂製や非発砲弾性体の衝撃吸収部とを備えており、この衝撃吸収部により膝や肘への衝撃が緩和されるようになっている。
【０００４】
また、上記衝撃吸収部として、吸気バルーンと排気弁を備えた扁平エアーバッグを備えたもの（特許文献２参照）や、複数の空気袋を備えたもの（特許文献３参照）もある。
【先行技術文献】
【特許文献】
【０００５】
【特許文献１】特開２００８−２１４８４１号公報
【特許文献２】実用新案登録第２５９６９８６号公報
【特許文献３】実用新案登録第３０９３５７２号公報
【発明の概要】
【発明が解決しようとする課題】
【０００６】
ところで、衝撃吸収部を発泡樹脂製とした場合には、装着者が競技中にかいた汗や雨水が衝撃吸収部の表面に付着するのみならず、衝撃吸収部が有する発泡セル中に溜まって内部も汚れることになる。こうなると、汗や雨水を栄養源として衝撃吸収部の表面及び内部に細菌が繁殖し、匂いの発生原因になるとともに、不衛生である。これ対し、スポーツ用保護具を清潔に維持するために、使用後に洗浄することが考えられるが、この場合には、洗浄水が発泡セル中に溜まることになって、衝撃吸収部が短時間で乾き難い。従って、スポーツ用保護具を頻繁に洗浄することができず、常に清潔な状態で使用することが難しい。また、スポーツ用保護具を使用後に拭くことも考えられるが、発泡セルの中に溜まった汗や雨水を拭き取ることは容易ではなく、清潔に保つのは難しい。
【０００７】
一方、衝撃吸収部が非発泡弾性体（非発泡エラストマー）やエアーバッグ（空気袋）で構成されていれば、衝撃吸収部を拭くだけで素早くかつ簡単にきれいにでき、また、洗浄した場合にも早く乾いてすぐに使用可能な状態にできる。これにより、装着者は、常に清潔なスポーツ用保護具を使用することができる。
【０００８】
しかしながら、特許文献１に記載の非発泡弾性体（非発泡エラストマー）は衝撃吸収分散性能に限りがある。また、特許文献２に記載の扁平エアーバッグは一体ものであり、特許文献３に記載の複数の空気袋はそれぞれ空気袋が独立して形成されているので、衝撃吸収分散性能が単体のものに限られてしまう。
【０００９】
そこで、本願発明は上記のような課題を解決するためになされたものであり、衝撃吸収分散性能がさらに向上したスポーツ用保護具を提供することを目的とするものである。
【課題を解決するための手段】
【００１０】
上記のような目的を達成するために、本願発明は、衝撃吸収部を備えたスポーツ用保護具において、前記衝撃吸収部を複数の空気袋から構成すると共に、空気袋間を連通する連通部を備えたことを特徴とするものである。
【００１１】
そして、前記複数の空気袋から構成された衝撃吸収部が裏面に設けられる硬質板部を備えたことを特徴とするものである。
【００１２】
あるいは、前記複数の空気袋から構成された衝撃吸収部が装着される装着部をサポーターに備えたことを特徴とするものである。
【００１３】
また、前記連通部を介して連通する任意の空気袋に、水は通さずに空気を通して内圧を大気圧に調整する通気膜を備えたことを特徴とするものである。
【発明の効果】
【００１４】
本願発明によれば、衝撃吸収部を複数の空気袋から構成したことにより、良好なフィット感が得られ、汗や雨の吸収がなくて清潔に保つことが容易になると共に、或る空気袋に加わる衝撃により圧縮される空気が連通部を介して他の空気袋に適度に流出することにより、衝撃が効率よく吸収分散されるので、衝撃吸収分散性能が向上する。
【００１５】
また、複数の空気袋から構成された衝撃吸収部が裏面に設けられる硬質板部を備えることにより、サッカーの競技者が複数の空気袋から構成された衝撃吸収部を脛に当てて装着することで、このスポーツ用保護具をシンガードとして使用可能になる。
【００１６】
さらに、複数の空気袋から構成された衝撃吸収部が装着される装着部をサポーターに備えることにより、バレーボールの競技者がこのスポーツ用保護具を膝用又は肘用サポーターとして使用可能になる。
【００１７】
また、連通部を介して連通する任意の空気袋に、水は通さずに空気を通して内圧を大気圧に調整する通気膜を備えることにより、空気を補充することなく、常に空気袋の内圧が大気圧に維持されるので、メンテナンスフリーで、性能調整が不要となる。さらに、通気膜を通して、空気が出入りするため、気温の変化によって空気袋が膨張したり、潰れたりしない。また、上記のような通気膜を使用することにより、水の浸入は防ぐことができるので、水洗いも可能になる。
【図面の簡単な説明】
【００１８】
【図１】本願発明に係るスポーツ用保護具をシンガードに適用した一実施形態を示す正面図。
【図２】同じく、その裏面図。
【図３】同じく、その衝撃吸収性試験結果を表にして示した図。
【図４】本願発明に係るスポーツ用保護具を膝用サポーターに適用した一実施形態を示す斜視図。
【図５】同じく、その衝撃吸収部の平面図。
【図６】同じく、その斜視図。
【図７】サポーター用衝撃吸収部の他の実施形態を示す上面図。
【図８】サポーター用衝撃吸収部の他の実施形態を示す正面図。
【図９】サポーター用衝撃吸収部の他の実施形態を示す右側面図。
【図１０】サポーター用衝撃吸収部の他の実施形態を示す裏面図。
【図１１】サポーター用衝撃吸収部の他の実施形態を示す図１０のＡ−Ａ線断面図。
【図１２】本願発明に係るスポーツ用保護具をシンガードに適用した他の実施形態を示す正面図。
【図１３】同じく、その裏面図。
【図１４】同じく、その要部構成図で、（Ａ）は平面図、（Ｂ）はそのＢ−Ｂ線断面図。
【図１５】同じく、そのプロテクター単体の構成図で、（Ａ）は平面図、（Ｂ）は側面図、（Ｃ）は裏面図。
【発明を実施するための形態】
【００１９】
以下、本願発明の実施形態を図面を参照して詳細に説明する。なお、以下の実施形態の説明は例示に過ぎず、本願発明やその適用物或いはその用途を制限することを意図するものではない。
【００２０】
（実施形態１）
図１及び図２は、本願発明の実施形態１に係るスポーツ用保護具としてのシンガード１を示すものである。このシンガード１は、サッカーの競技者が脛当てとして使用するものであり、全体として脛の形状に沿うように湾曲した板状をなしている。なお、シンガード１の裏面を脛に当たる側の面とし、表面をその反対側の面とする。
【００２１】
このシンガード１は、図１に示す表面側を構成する硬質板部１０と、図２に示す裏面側を構成する衝撃吸収部２０とを備えた２層構造である。硬質板部１０は、例えば、ポリプロピレン、ナイロン、ポリウレタン、ポリエステル、ポリエチレン、ポリ塩化ビニル、または反応性硬化樹脂等の樹脂材を射出成形してなるものである。この硬質板部１０の硬さは、競技中にスパイクシューズで蹴られた場合や、競技者の足同士がぶつかった場合等に脛をガードできる程度の硬さである。硬質板部１０は、全体として脛の上下方向に長い形状で、上述のように湾曲している。図１に示すように、硬質板部１０の上下左右の各縁部は、それぞれの中央部が内側に向けて湾曲するように構成され、また、上部側が下部側に比べて幅が広くなっている。硬質板部１０の表面側には対角線状に略Ｘ字状の凸部１１が形成され、略Ｘ字状の凸部１１の中央部に上下２つの略三角形状の通気口１２，１２が形成され、上下左右の段部１３には段部１３の形状に沿った通気口１４が形成されている。
【００２２】
一方、衝撃吸収部２０は、ウレタン系エラストマー、オレフィン系エラストマー、スチレン系エラストマー、ポリエステル系エラストマー、軟質塩化ビニル等の柔軟性を有する樹脂で構成され、硬質板部１０の裏面側に複数の空気袋２１，２２，２３を形成するように設けられている。本実施形態では、左右の上下方向に大きめの空気袋２１がそれぞれ３つずつと、中央部の上下方向に小さい空気袋２２が３つ、上下端の左右に上記の中間の大きさの２つの空気袋２３がそれぞれ形成されている。上端側の２つの空気袋２３，２３の間には、それらに連通部２４を介して連通してボール用のハンドポンプで空気注入可能なボール用バルブ同様の空気注入孔２５が形成されている。これらの空気袋２３，２３は連通部２６，２６を介して左右の空気袋２１，２１と連通している。また、左右の空気袋２１は連通部２７を介して中央の空気袋２２と連通している。さらに、左右の一番下の空気袋２１は連通部２８を介して下端の左右の空気袋２３と連通している。すなわち、空気注入孔２５と全ての空気袋２１，２２，２３が連通すると共に、各空気袋２１，２２，２３が連通している。
【００２３】
上記衝撃吸収部２０は、硬質板部１０の裏面の略全体を覆う形状で、硬質板部１０に一体形成されている。衝撃吸収部２０は、図１，図２に示すように、硬質板部１０の裏面側から全体周縁部及び中央部の通気口１２の周縁部を通って表側へ回り込み、表側全体周縁部と中央部の通気口周縁部を覆うように形成されている。従って、硬質板部１０の全体周縁部と通気口１２の周縁部は、全周が衝撃吸収部２０により被覆された状態となっている。
【００２４】
上記のように構成されたシンガード１を使用する際には、衝撃吸収部２０を脛に直接当て、その上から靴下（図示せず）を履き、その靴下によりシンガード１を表側から覆って脛に保持する。このとき、空気袋２１，２２，２３の空気圧をボール用ハンドボンプで好みのフィット感に調整できる。また、シンガード１の全体周縁部や通気口１２の周縁部が衝撃吸収部２０を構成する柔軟性を有する樹脂で構成されていることから、靴下に密着して滑り止めとなる。これにより、競技中にシンガード１が動いて位置ずれするのを抑制することができる。
【００２５】
シンガード１の使用時に競技者が汗をかいた場合には、空気袋２１，２２，２３間の隙間を通って排出される。また、熱気や湿気を帯びた空気も通気口１２，１４から外部に放出される。また、他の競技者のスパイクシューズがシンガード１に当たった場合には、複数の空気袋２１，２２，２３から成る衝撃吸収部２０が連通部２４，２６，２７，２８を介して連通しているので、衝撃が効率良く吸収分散されて緩和される。
【００２６】
図３は、上記実施形態のシンガード（品名：エアシンガード）１と他のシンガードを比較した衝撃吸収性試験結果を表にして示した図である。なお、試験方法は、落下物の重量：０．２５kg、落下高さ：３５ｃｍで行った。この試験結果から明らかなように、本実施形態のシンガード１は、広い内圧範囲（大気圧〜大気圧+500hpa）において、本願出願人による前記特許文献１（特開２００８−２１４８４１号公報）に記載のものや、スポンジタイプ１〜３（他社製）を用いたものに比べて、優れた衝撃吸収性を示している。
【００２７】
また、使用時に競技者がかいた汗や雨水は衝撃吸収部２０に付着することになるが、衝撃吸収部２０に発泡セルが無いため、汗や雨水が衝撃吸収部２０に吸収されることはない。このため、衝撃吸収部２０を拭くだけできれいにすることが可能である。また、衝撃吸収部２０を洗浄した場合には、洗浄水が衝撃吸収部２０の内部に吸収されないため早く乾く。
【００２８】
以上説明したように、この実施形態１に係るシンガード１によれば、衝撃吸収部２０が複数の空気袋２１，２２，２３で構成されていると共に、空気袋２１，２２，２３を連通する連通部２４，２６，２７，２８が設けられているので、衝撃吸収分散性能がさらに向上する。また、空気袋２１，２２，２３に空気を注入するために、ボール用バルブ同様の空気注入孔２５を設けているので、それらの空気圧をボール用ハンドボンプで好みのフィット感に手軽に調整できる。さらに、衝撃吸収部２０を拭くだけで素早くかつ簡単にきれいにでき、また、洗浄した場合にも早く乾いてすぐに使用可能な状態にできる。これにより、競技者は、常に清潔なシンガード１を使用することができる。
【００２９】
また、衝撃吸収部２０を硬質板部１０の表面側へ導出させるようにしたので、衝撃吸収部２０と硬質板部１０とを強く結合できる。これにより、スポーツ実施時に衝撃吸収部２０に大きな力がかかった際や長期間使用した際に、衝撃吸収部２０が硬質板部１０から分離しないようにすることができる。
【００３０】
また、硬質板部１０の周縁部を衝撃吸収部２０で被覆したので、硬質板部１０の周縁部が競技者の皮膚に直接触れて傷付けることはなく、装着時の安全性も向上できる。
【００３１】
また、衝撃吸収部２０から硬質板部１０に至る通気口１２，１４を形成したので、競技者が装着した状態で熱や汗を逃がすことができ、装着感を良好にすることができる。
【００３２】
なお、本願発明は、シンガード１以外にも、例えば、野球用プロテクター、ヘルメット、アームガード、腰部プロテクター、脊椎プロテクター、ラグビー用のヘッドギア等に適用することが可能である。
【００３３】
（実施形態２）
図４，図５，図６は、本願発明の実施形態２に係るスポーツ用保護具としての膝用サポーター３０を示すものである。この膝用サポーター３０は、バレーボール等の競技者がニーガードとして使用するものであり、筒状の本体部３１と、本体部３１に取り付けられた衝撃吸収部３２とで構成されている。
【００３４】
本体部３１は、弾性糸を織り込んだ弾性伸縮布で構成されており、内径が拡大するように変形可能となっている。本体部３１の内面には、薄い布材が衝撃吸収部３２の収容部３３を構成する袋状に縫い付けられている。
【００３５】
衝撃吸収部３２は、図５及び図６に示すように複数の略楕円形状あるいは略円形状の空気袋３４が放射状に連結された構成で、空気袋３４間を連通する連通部３５が備えられている。また、膝の関節部の形状に沿うように湾曲したときに、一部の空気袋３４が重ならないように、放射状の略１列を無くした空白部３６が形成されている。また、空気袋３４は放射状に配置されて空気袋３４間には隙間が形成されるので、通気性が確保されて汗や熱を逃がすことが可能になる。
【００３６】
この実施形態２のものにおいても、実施形態１のものと同様に、良好なフィット感が得られると共に、或る空気袋３４に加わる衝撃により圧縮される空気が連通部３５を介して他の空気袋３４に適度に流出することにより、衝撃が効率よく吸収分散されるので、衝撃吸収分散性能がさらに向上する。また、上記膝用サポーター３０の使用時に競技者がかいた汗は衝撃吸収部３２に付着することになるが、衝撃吸収部３２に発泡セルが無いため、吸収されることはない。また、衝撃吸収部３２を洗浄した場合には、洗浄水が衝撃吸収部３２の内部に吸収されないため早く乾く。
【００３７】
以上説明したように、この実施形態２に係る膝用サポーター３０によれば、実施形態１と同様に、衝撃吸収部３２を複数の空気袋３４から構成すると共に、空気袋３４間を連通する連通部３５を備えているので、衝撃が効率よく吸収分散されるので、衝撃吸収分散性能がさらに向上する。また、衝撃吸収部３２を拭くだけで素早くかつ簡単にきれいにでき、また、洗浄した場合にも早く乾いてすぐに使用可能な状態にできる。これにより、競技者は、常に清潔な膝用サポーター３０を使用することができる。
【００３８】
また、衝撃吸収部３２が空気袋３４を放射状に連結した構成であるので、空気袋３４間の隙間が通気孔として機能することになり、この隙間から汗や熱を逃がすことができる。これにより、使用感を良好にすることができる。
【００３９】
また、衝撃吸収部３２を膝の関節部の形状に沿うように湾曲させることが容易なので、装着時のフィット感を向上させて、より一層良好な使用感を得ることができる。
【００４０】
なお、上記実施形態２では、スポーツ用保護具が膝用サポーター３０である場合について説明したが、本願発明は、膝用サポーター３０と同様な構造の肘用サポーターにも適用することができる。
【００４１】
（実施形態３）
図７乃至図１１は、サポーター用衝撃吸収部の他の実施形態を示す上面図、正面図、右側面図、裏面図、Ａ−Ａ線断面図である。
【００４２】
本実施形態の衝撃吸収部４０は、前記実施形態２よりも大きな，横長で膝に対応するように湾曲した４つの空気袋４１、４２、４３、４４が連通部４５を介して縦並びに連結されている。さらに、上から２番目の最も大きな空気袋４２と、その次（上から３番目）の空気袋４３の各両端には、連通部４６を介してサイズ調整用の小さな空気袋４７が連結されている。すなわち、本実施形態３のようにサイズ調整用の空気袋４７を連結すると例えばＭＬサイズとなり、連結されないとＳサイズとなるというように、本体側の空気袋４１〜４４の大きさを変えることなく複数のサイズに容易に対応することができるようになっている。
【００４３】
また、前記実施形態２のものには空気注入孔が設けられていないが、本実施形態３では、一番上側の空気袋４１の一側端に最初の実施形態１と同様な空気注入孔４８が形成されている。すなわち、実施形態１同様、空気注入孔４８と全ての空気袋４１〜４４、４７が連通すると共に、各空気袋４１〜４４、４７が連通している。
【００４４】
さらに、膝の関節部の形状に沿って湾曲しやすいように、空気袋４１〜４４間の連結部４９は肉薄に形成されると共に、各空気袋４１〜４４の左右中間部位に溝部５０が形成されている。また、各空気袋４１〜４４には、ほぼ均等に複数の通気孔５１が形成されている。
【００４５】
この実施形態３においても、上述した構成により、前記実施形態２のサポーターとほぼ同様な作用効果が得られると共に、前記実施形態１同様、空気袋４１〜４４、４７に空気を注入するために、ボール用バルブ同様の空気注入孔４８を設けているので、それらの空気圧をボール用ハンドボンプで好みのフィット感に手軽に調整できる。
【００４６】
（実施形態４）
図１２及び図１３は、本願発明の実施形態４に係るスポーツ用保護具としてのシンガード１を示すものであり、前記図１及び図２の実施形態１と同一又は相当部分には同一符号を用いて、重複する説明は省略する。本実施形態４においては、前記実施形態１のシンガード１に設けられていた空気注入孔の代わりに、水は通さずに空気を通して内圧を大気圧に調整する機能を有する通気膜を備えたものである。
【００４７】
具体的に説明すると、前述した実施形態１で裏面の上端側に配置された２つの空気袋２３，２３間に備えられていた空気注入孔２５は、本実施形態４では図１３に示すように設けられておらず、２つの空気袋２３，２３間は連通部２４を介して連通している。裏面側の他の構成は、前記実施形態１と同様である。
【００４８】
そして、前記実施形態１の空気注入孔２５に代わって、本実施形態４では、図１２に示すように、表側の硬質板部１０における略Ｘ字状の凸部１１の中央上部に円形のプロテクター６１で覆われた通気膜６２（図１４参照）が設けられている。上記プロテクター６１には中央部に十字状に仕切られた４つの通気孔６３が形成されている。このプロテクター６１は、硬質板部１０の裏面側から衝撃吸収部２０を構成する柔軟性を有する樹脂が硬質板部１０に形成された図示しない円形孔から表側に導出されて成形された取付凹部６４に取り付けられる。図１５に示すように円盤状に構成されたプロテクター６１の中央部には上述したように十字状に仕切られた４つ通気孔６３が形成されている。図１４（Ｂ）に示すように、上記プロテクター６１の裏面側には、ほぼ同径のリング状の両面テープ６５を介して、それらより小径の通気膜６２が取り付けられ、通気膜６２が取り付けられたプロテクター６１が硬質板部１０裏面側の衝撃吸収部２０に連通する通気孔６６が形成された取付凹部６４に両面テープ６５を介して取り付けられる。本実施形態４では、この通気膜６２が取り付けられた通気孔６６が裏面側の中央部の一番上の小さな空気袋２２に連通するようになっている。
【００４９】
上記通気膜６２としては、具体的には、例えば日東電工株式会社製のふっ素樹脂多孔質フィルムが使用可能であるが、水分や塵を通さず、空気のみを通すものであれば使用可能である。また、プロテクター６１は通気膜６２を保護する部品であり、材質は樹脂で、硬質樹脂であればＰＰ（ポリプロピレン）等が使用可能であるが、保護するだけなので、軟質樹脂（ポリエステル系エラストマー等）でも使用可能である。両面テープ６５は、通気膜６２をプロテクター６１裏面に固定し、このプロテクター６１を取付凹部６４底面に固定するものであるが、両面テープ６５を用いることにより、通気膜６２の性能を損なうことなく、プロテクター６１と通気膜６２の固定が可能になる。なお、通気膜６２の通気部分に悪影響を及ぼさないようにすれば、接着や溶着でも可能である。上記プロテクター６１と両面テープ６５については、上記通気膜６２自体にも一応、保護膜（ポリエステル）があるため、無くても実施可能である。また、上記実施形態４では、表側の取付部位に対応して、通気膜６２が取り付けられた通気孔６６が裏面側の中央部の一番上の小さな空気袋２２に連通するようにしたが、連通部を介して連通する任意の空気袋に対応して取り付ける可能である。
【００５０】
上述の通気膜６２を備えたシンガード１は、まず硬質板部１０をインサートして衝撃吸収部２０を構成する柔軟性を有する樹脂（エラストマー等）でブロー成型し、成形後、衝撃吸収部２０の気密性を確認する。気密性が確認された成形品に対して、上述した取付凹部６４の露出底部に通気孔６６を形成する。そして、図１４（Ｂ）に示すように、通気孔６６が形成された取付凹部６４にプロテクター６１の裏面側にリング状の両面テープ６５を介して通気膜６２を貼り付け、それを通気孔６６が形成された取付凹部６４の底面に張り付けて完成する。
【００５１】
上述したような通気膜６２を備えたシンガード１は、衝撃吸収部２０の空気袋２１，２２，２３の内圧が通気膜６２の作用によって常に大気圧に調整される。前記図３の衝撃吸収性試験結果によれば、前述した構成のシンガード１は、広い内圧範囲（大気圧〜大気圧+500hpa）において優れた衝撃吸収性を示している。また、上記通気膜６２は、空気は通すが、水は通さないほどの微細孔から成っているので、或る空気袋に加わる衝撃により圧縮される空気は、通気膜６２からはほとんで外部に流出せず、連通部を介して他の空気袋に適度に流出して、衝撃が効率よく吸収分散されるので、通気膜６２によって上述した優れた衝撃吸収分散性能が損なわれることはない。
【００５２】
従って、本実施形態４に係るシンガード１によれば、前記実施形態１とほぼ同様な作用効果が得られるとともに、上述したような通気膜６２を設けたことにより、空気を補充することなく、常に空気袋２１，２２，２３の内圧が大気圧に維持されるので、メンテナンスフリーで、性能調整が不要となる。また、通気膜６２を通して空気が出入りするため、気温の変化によって空気袋２１，２２，２３が膨張したり、潰れたりすることがない。すなわち、環境変化による衝撃吸収性能の変動を抑えることができる。さらに、上述したような通気膜（ふっ素樹脂多孔質フィルム）を使用することにより、水の浸入を防ぐことが可能となるので、水洗いもできる。
【００５３】
なお、上記実施形態４では、通気膜６２を実施形態１のシンガードに適用した場合について説明したが、他の実施形態２や３のサポーター用衝撃吸収部等に適用することも可能で、前記実施形態４と同様な作用効果が期待できる。
【符号の説明】
【００５４】
１  シンガード
１０  硬質板部
１１  凸部
１２，１４  通気口
１３  段部
２０  衝撃吸収部
２１，２２，２３  空気袋
２４，２６，２７，２８  連通部
２５  空気注入孔
３０  膝用サポーター
３１  本体部
３２  衝撃吸収部
３３  収容部
３４  空気袋
３５  連通部
４０  衝撃吸収部
４１〜４４、４７  空気袋
４５、４６  連通部
４８  空気注入孔
４９  連結部
５０  溝部
５１  通気孔
６１  プロテクター
６２  通気膜
６３  通気孔
６４  取付凹部
６５  両面テープ
６６  通気孔
【図１】
2012130663.tif 000003
【図２】
2012130663.tif 000004
【図３】
2012130663.tif 000005
【図４】
2012130663.tif 000006
【図５】
2012130663.tif 000007
【図６】
2012130663.tif 000008
【図７】
2012130663.tif 000009
【図８】
2012130663.tif 000010
【図９】
2012130663.tif 000011
【図１０】
2012130663.tif 000012
【図１１】
2012130663.tif 000013
【図１２】
2012130663.tif 000014
【図１３】
2012130663.tif 000015
【図１４】
2012130663.tif 000016
【図１５】
2012130663.tif 000017